(57)【特許請求の範囲】
【請求項１】
入力された映像信号を圧縮する圧縮手段、
所定期間毎に前記映像信号に多重された識別情報を検出する検出手段、
前記検出手段によって複数ライン分の識別情報が検出されたとき前記圧縮手段を能動化する能動化手段、
前記検出手段によって前記識別情報が検出されないとき前記圧縮手段を不能化する不能化手段、
前記圧縮手段が能動化されたとき、前記検出手段によって検出された複数ライン分の識別情報が一致するか否かを判断する識別情報判断手段、
前記識別情報判断手段の判断結果が一致を示すとき、前記圧縮手段によって圧縮された圧縮信号をモニタの所定領域に出力する第１出力手段、
前記識別情報判断手段の判断結果が不一致を示すとき、前記圧縮手段によって圧縮された圧縮信号の前記モニタへの出力を中止する出力中止手段、および
前記圧縮手段が不能化されたとき前記映像信号を前記モニタに出力する第２出力手段を備える、映像信号処理装置。
【請求項２】
前記圧縮手段は、前記映像信号を間引いて間引き信号を出力する間引き手段、前記間引き信号を出力するビデオメモリを含み、前記能動化手段は前記ビデオメモリの所定領域に前記間引き信号を連続的に書き込む第１書き込み手段を含む、請求項１記載の映像信号処理装置。
【請求項３】
前記第１出力手段は前記ビデオメモリの所定領域に書き込まれた間引き信号を連続的に読み出して前記圧縮信号を得る第１読み出し手段、および前記第１読み出し手段によって読み出された前記圧縮信号を前記モニタに送る第１信号経路を含む、請求項３記載の映像信号処理装置。
【請求項４】
前記不能化手段は、前記ビデオメモリに前記映像信号を書き込む第２書き込み手段を含む、請求項２または３記載の映像信号処理装置。
【請求項５】
前記第２出力手段は前記ビデオメモリに書き込まれた前記映像信号を読み出す第２読み出し手段、および前記第２読み出し手段によって読み出された前記映像信号を前記モニタに送る第２信号経路を含む、請求項４記載の映像信号処理装置。
【請求項６】
第１入力端子と第２入力端子との間で切り換えられかつ出力端子が前記モニタに接続されるスイッチング手段をさらに備え、
前記第１出力手段は前記圧縮信号を前記第１入力端子に送る第１信号経路を含み、前記第２出力手段は前記入力された映像信号を前記第２入力端子に送る第２信号経路を含む、請求項１記載の映像信号処理装置。
【請求項７】
前記能動化手段は前記スイッチング手段を前記第１入力端子に接続する第１接続手段を含み、そして前記不能化手段は前記スイッチング手段を前記第２入力端子に接続する第２接続手段を含む、請求項６記載の映像信号処理装置。
【発明の詳細な説明】
【０００１】
【産業上の利用分野】
この発明は映像信号処理装置に関し、特にたとえば時分割多重カメラ信号に含まれるカメラ信号のそれぞれをモニタに同時に出力する、映像記録処理装置に関する。
【０００２】
【従来の技術】
従来のこの種の映像信号処理装置では、複数のカメラ信号を時分割多重した時分割多重カメラ信号を記録するとき、それぞれのカメラ信号に番号や記録時期などの識別コードが１ライン毎に多重され、再生時にそのコードに従ってそれぞれのカメラ信号がビデオＲＡＭの所定領域に書き込まれる。その後、そのビデオＲＡＭを走査することによって、それぞれのカメラ信号に対応する映像がモニタに分割表示される。カメラ信号は、それに多重された２ラインの識別コードが一致するときはビデオＲＡＭに書き込まれるが、識別コードが検出されなかったり、２ラインのコードが互いに一致しなければ、カメラ信号の判別が不可能であるため、ビデオＲＡＭへの書き込みが中止される。したがって、モニタの誤った領域にカメラ信号が出力されるのを防止できる。
【０００３】
【発明が解決しようとする課題】
しかし、このような従来技術では、たとえば家庭用ＶＴＲで録画したテレビジョン信号のような識別コードが多重されていない映像信号はビデオＲＡＭには書き込まれず、その結果映像信号はモニタに出力されないという問題があった。
それゆえに、この発明の主たる目的は、所望の映像信号をモニタに表示できる、映像信号処理装置を提供することである。
【０００４】
【課題を解決するための手段】
この発明は、入力された映像信号を圧縮する圧縮手段、所定期間毎に映像信号に多重された識別情報を検出する検出手段、検出手段によって複数ライン分の識別情報が検出されたとき圧縮手段を能動化する能動化手段、検出手段によって識別情報が検出されないとき圧縮手段を不能化する不能化手段、圧縮手段が能動化されたとき、検出手段によって検出された複数ライン分の識別情報が一致するか否かを判断する識別情報判断手段、識別情報判断手段の判断結果が一致を示すとき、圧縮手段によって圧縮された圧縮信号をモニタの所定領域に出力する第１出力手段、識別情報判断手段の判断結果が不一致を示すとき、圧縮手段によって圧縮された圧縮信号のモニタへの出力を中止する出力中止手段、および圧縮手段が不能化されたとき映像信号をモニタに出力する第２出力手段を備える、映像信号処理装置である。
【０００５】
【作用】
例えば１ライン毎に識別コードが多重された映像信号が入力されると、検出手段がその識別コードを解読する。そして、２ライン連続して識別コードが同じであれば能動化手段が圧縮手段を能動化する。このため、圧縮信号がモニタの所定領域に出力される。すなわち、モニタには複数の映像が分割表示される。
【０００６】
一方、識別コードが多重されてない映像信号が入力されると、検出手段は識別コードを検出できないため、不能化手段が圧縮手段を不能化する。したがって、モニタにはその映像信号がそのまま出力され、モニタには１つの映像が表示される。
【０００７】
【発明の効果】
この発明によれば、検出される識別信号が所定の関係を有するときは圧縮信号をモニタの所定エリアに出力し、識別情報を検出できなないときには映像信号をそのままモニタに出力するようにしたため、モニタに所望の映像を表示することができる。
【０００８】
この発明の上述の目的，その他の目的，特徴および利点は、図面を参照して行う以下の実施例の詳細な説明から一層明らかとなろう。
【０００９】
【実施例】
図１を参照して、この実施例のメモリ制御装置１０は、ＶＴＲ１２から出力された再生信号を受ける同期分離回路１４を含む。再生信号には、複数のカメラ信号が時分割多重された時分割多重カメラ信号または家庭用ＶＴＲで記録された１つの映像信号がある。時分割多重カメラ信号に含まれるそれぞれのカメラ信号には、カメラ番号や撮影時期などがコード化された識別コードが多重される。一方、家庭用ＶＴＲで記録された映像信号には、このような識別コードは多重されていない。
【００１０】
同期分離回路１４は、再生信号をそのままＡ／Ｄ変換器１６に与えるとともに、垂直同期信号（ＶＤ信号）をマイコン１８に与える。Ａ／Ｄ変換器１６でディジタルデータに変換された再生信号は、検出手段としてのコード解読回路２０に与えられる。これによって、識別コードが解読され、コード解読結果が能動化手段および不能化手段としてのマイコン１８に与えられる。
【００１１】
コード解読回路２０を介した再生信号は、直接および間引き手段としてのフィルタ２２を介してセレクタ２４に入力される。すなわち、再生信号が時分割多重カメラ信号であるときには、それに対応する複数の映像をモニタ３０に分割表示するためにそれぞれのカメラ信号を水平方向および垂直方向において間引く必要がある。しかし、家庭用ＶＴＲによって記録された映像信号にはそのような処理を行う必要がない。このため、フィルタ２２の出力およびコード解読回路２０の出力がセレクタ２４に与えられる。
【００１２】
セレクタ２４は、マイコン１８からのセレクト信号に従っていずれかの出力を選択する。具体的には、コード解読回路２０から２ライン連続してコード解読結果が入力されると、マイコン１８は、セレクト信号によってセレクタ２４をフィルタ２２側に切り換えるとともに、その２つのコード解読結果が互いに一致するかどうか判断する。そして、コード解読結果が互いに一致するときは、ビデオＲＡＭ２６の所定領域に対して書込信号を出力し、セレクタ２４から出力された間引き信号をその所定領域に書き込む。そして、ビデオＲＡＭ２６から走査して読み出すことによって、圧縮信号が得られる。すなわち、コード解読結果が一致するときには、フィルタ２２およびビデオＲＡＭ２６からなる圧縮手段がマイコン１８によって能動化され、間引き信号がビデオＲＡＭ２６の所定領域に連続して書き込まれる。一方、コード解読結果が互いに一致しないときには、カメラ信号の判別が不能であるとしてビデオＲＡＭ２６への書き込みを中止する。したがって、ドロップアウトなどが原因で一部に損傷が生じているカメラ信号はビデオＲＡＭ２６に書き込まれない。
【００１３】
他方、コード解読回路２０から所定期間以上コード解読結果が出力されなければ、マイコン１８は再生信号に識別コードが多重されてないと判断し、セレクタ２４をコード解読回路２０側に切り換える。そして、コード解読回路２０の出力すなわち映像信号をビデオＲＡＭ２６に書き込む。すなわち、マイコン１８は、セレクタ２４をコード解読回路２０に切り換えることによって、圧縮手段を不能化する。なお、セレクタ２４から映像信号が出力されるとき、マイコン１８はビデオＲＡＭ２６の全領域に対する書込信号を出力する。
【００１４】
ビデオＲＡＭ２６に書き込まれた複数の圧縮信号または１つの映像信号は、マイコン１８によって読み出され、第１信号経路または第２信号経路としての信号経路３１からＤ／Ａ変換器２８に与えられる。Ｄ／Ａ変換器２８を介した圧縮信号または映像信号は、第１信号経路または第２信号経路としての信号経路３３からモニタ３０に出力される。したがって、複数の圧縮信号が出力されたときは、それに対応する複数の映像がモニタ３０に分割表示され、映像信号が出力されたときは、モニタ３０の画面全体にそれに対応する１つの映像が表示される。
【００１５】
マイコン１８は、図２に示すフロー図に従ってセレクタ２４およびビデオＲＡＭ２６を制御する。まず、ステップＳ１でＶＤ信号が入力されたと判断すると、ステップＳ３で２ライン分のコード解読結果が入力されたかどうかを判断する。なお、ステップＳ１で“ＮＯ”と判断すると、ＶＤ信号が入力されたかどうかを繰り返し判断する。ステップＳ３で“ＹＥＳ”と判断すると、ステップＳ５でセレクタ２４をフィルタ２２側に切り換える。続いてステップＳ７で、入力された２ラインのコード解読結果が互いに一致するかどうかを判断する。ここで“ＹＥＳ”であれば、ステップＳ９ではセレクタ２４から出力されたカメラ信号をビデオＲＡＭ２６の所定の領域に書き込む。一方、ステップＳ７で“ＮＯ”と判断されると、カメラ信号に異常があると判断し、ビデオＲＡＭ２６への書き込みは行わず直接ステップＳ１１に移行する。ステップＳ１１ではカウンタｆｃのカウント値をリセットし、ステップＳ１に戻る。
【００１６】
ステップＳ３で“ＮＯ”と判断すると、ステップＳ１５でカウンタｆｃのカウント値が６０より小さいかどうかを判断する。すなわち、ステップＳ３で“ＮＯ”と判断される再生信号は、多重された識別コードがドロップアウトなどの原因で一部において欠落しているカメラ信号あるいは家庭用ＶＴＲによって記録された映像信号である。したがって、ステップＳ１５では、その再生信号がカメラ信号であるか映像信号であるかを所定期間（カウンタｆｃのカウント値が６０になるまで）かけて判別する。これによって、セレクタ２４の切り換えを正確に制御できる。
【００１７】
ステップＳ１５で“ＹＥＳ”と判断すると、ステップＳ２１でカウンタｆｃをインクリメントし、ステップＳ１に戻る。また、ステップＳ１５で“ＮＯ”と判断すると、ステップＳ１７でセレクタ２４をコード解読回路２０側に切り換え、映像信号を選択する。そして、ステップＳ１９でその映像信号ビデオＲＡＭ２６の全メモリ領域に書き込み、ステップＳ１に戻る。
【００１８】
この実施例によれば、コード解読回路２０によるコード解読結果に従ってビデオＲＡＭ２６に再生信号が書き込まれる。すなわち、２ライン分のコード解読結果が一致する場合には、その再生信号すなわちカメラ信号がビデオＲＡＭ２６を介してモニタ３０の所定領域に出力される。一方、コード解読結果が一致しない場合には、その再生信号のビデオＲＡＭ２６へ書き込みが中止される。また、識別コードが得られないときは、その再生信号は映像信号であるとして、ビデオＲＡＭ２６を介してモニタ３０に出力される。したがって、モニタ３０に所望の映像を表示することができる。
【００１９】
図３に示す他の実施例の映像信号処理装置１０は、モニタ３０の前段にスイッチング手段としてスイッチ３２が設けられ、セレクト信号に従って時分割多重カメラ信号または映像信号の切り換えが制御され、そして、ビデオＲＡＭ２６の前段のセレクタが省略されている点を除いては図１実施例と同じであるため、重複した説明を省略する。
【００２０】
図１実施例と異なる動作を具体的に説明すると、スイッチ３２はセレクト信号に従って第１入力端子としての入力端子３４と第２入力端子としての入力端子３６との間で切り換えられる。すなわち、第１信号経路としての信号経路４０および４２から入力端子３４に送られた時分割多重カメラ信号または第２信号経路としての信号経路４４から入力端子３６に送られた映像信号が、出力端子３８からモニタ３０に出力される。
【００２１】
マイコン１８は、図４に示すフロー図に従ってモニタ３０前段のスイッチ３２の切り換えおよびビデオＲＡＭ２６への書き込みを制御する。まず、ステップＳ１でＶＤ信号が入力されたと判断すると、ステップＳ３で２ライン分のコード解読結果が入力されたかどうかを判断する。なお、ステップＳ１で“ＮＯ”と判断すると、ＶＤ信号が入力されたかどうかを繰り返し判断する。ステップＳ３で“ＹＥＳ”と判断すると、ステップＳ１０５でスイッチ３２をＤ／Ａ変換器２８の出力側に切り換える。続いてテップＳ７で、入力された２ラインのコード解読結果が互いに一致するかどうかを判断する。ここで、“ＹＥＳ”であればステップＳ９ではフィルタ２２から出力されたカメラ信号をビデオＲＡＭ２６の所定の領域に書き込む。一方、ステップＳ７で“ＮＯ”と判断されると、カメラ信号に異常があると判断され、ビデオＲＡＭ２６への書き込みは行わず直接ステップＳ１１に移行する。ステップＳ１１ではカウンタｆｃのカウント値をリセットし、ステップＳ１に戻る。
【００２２】
ステップＳ３で“ＮＯ”と判断すると、ステップＳ１５でカウンタｆｃのカウント値が６０より小さいかどうかを判断する。すなわち、ステップＳ３で“ＮＯ”と判断される再生信号は、多重された識別コードがドロップアウトなどの原因で一部において欠落しているカメラ信号あるいは家庭用ＶＴＲによって記録された映像信号である。したがって、ステップＳ１５では、その再生信号がカメラ信号であるか映像信号であるかを所定期間（カウンタｆｃのカウント値が６０になるまで）かけて判断する。これによって、モニタ３０前段のスイッチの切り換えを正確に制御できる。
【００２３】
ステップＳ１５で“ＹＥＳ”と判断すると、ステップＳ２１でカウンタｆｃをインクリメントし、ステップＳ１に戻る。また、ステップＳ１５で“ＮＯ”と判断すると、ステップＳ１１７でスイッチを同期分離回路１４の出力側に切り換え、映像信号を選択しステップＳ１に戻る。
この実施例によれば、上述の実施例と同様にコード解読回路２０による解読結果に従ってビデオＲＡＭ２６に時分割多重カメラ信号が書き込まれる。また、解読結果に従って時分割多重カメラ信号または映像信号の切り換えが正確に制御される。
【図面の簡単な説明】
【図１】この発明の一実施例を示すブロック図である。
【図２】図１実施例のマイコンの動作を示すフロー図である。
【図３】この発明の他の実施例を示すブロック図である。
【図４】他の実施例のマイコンの動作を示すフロー図である。
【符号の説明】
１０  …映像信号処理装置
１８  …マイコン
２０  …コード解読回路
２２  …フィルタ
２４  …セレクタ
２６  …ビデオＲＡＭ
３０  …モニタ
３２  …スイッチ
【図１】
0003568341.tif 000002
【図２】
0003568341.tif 000003
【図３】
0003568341.tif 000004
【図４】
0003568341.tif 000005